(57)【要約】【課題】生活シーンに合わせた適切な照明空間を提供すること。【解決手段】実施形態に係る照明装置は、基板と、光源部と、拡散部とを具備する。光源部は、基板に実装され、白色光源が配列した複数の白色光源列と、複数の白色光源の間に原色光源が配列した原色光源列とを有する。拡散部は、白色光源から出射される白色光を原色光源から出射される原色光よりも拡散する。【選択図】図１
2019061808.tif 000002
【特許請求の範囲】
【請求項１】
基板と；
前記基板に実装され、白色光源が配列した複数の白色光源列と、前記複数の白色光源列の間に原色光源が配列した原色光源列とを有する光源部と；
前記白色光源から出射される白色光を前記原色光源から出射される原色光よりも拡散する拡散部と；
を具備することを特徴とする照明装置。
【請求項２】
前記光源部は、
色温度の異なる複数の前記白色光源を有すること
を特徴とする請求項１に記載の照明装置。
【請求項３】
前記拡散部は、
前記白色光源列を覆う領域と前記原色光源列を覆う領域とで異なる形状であること
を特徴とする請求項１または２に記載の照明装置。
【請求項４】
前記拡散部は、
前記原色光源列を覆う領域において前記原色光源列に沿う向きに略平行な平坦部を有すること
を特徴とする請求項３に記載の照明装置。
【発明の詳細な説明】
【技術分野】
【０００１】
本発明は、照明装置に関する。
【背景技術】
【０００２】
近年、住宅の部屋の天井等に設置される、ＬＥＤ（Light  Emitting  Diode）の高出力化、高効率化に伴い、光源としてＬＥＤを用いた屋内又は屋外で使用される長寿命化が期待できる照明装置が開発されている。また、照明装置として、発光色が昼光色及び電球色のＬＥＤを光源として、これらの明るさと光色を調整して生活シーンに合わせた照明を得るようにしたものが提案されている。
【先行技術文献】
【特許文献】
【０００３】
【特許文献１】特開２０１７−３３９５３号公報
【発明の概要】
【発明が解決しようとする課題】
【０００４】
しかしながら、従来の照明装置では、表現可能な照明のバリエーションに限りがあり、多様な生活シーンに合わせた照明空間を提供するうえで改善の余地があった。
【０００５】
本発明が解決しようとする課題は、生活シーンに合わせた適切な照明空間を提供することができる照明装置を提供することを目的とする。
【課題を解決するための手段】
【０００６】
実施形態に係る照明装置は、基板と、光源部と、拡散部とを具備する。前記光源部は、前記基板に実装され、白色光源が配列した複数の白色光源列と、前記複数の白色光源列の間に原色光源が配列した原色光源列とを有する。前記拡散部は、前記白色光源から出射される白色光を前記原色光源から出射される原色光よりも拡散する。
【図面の簡単な説明】
【０００７】
【図１】図１は、実施形態に係る照明装置の分解斜視図である。
【図２】図２は、実施形態に係る光源部の具体例を示す図である。
【図３】図３は、実施形態に係る拡散部の具体例を示す図である。
【図４】図４は、実施形態に係る制御装置の構成を示すブロック図である。
【図５】図５は、実施形態に係るモード情報の具体例を示す図である。
【発明を実施するための形態】
【０００８】
以下で説明する実施形態に係る照明装置１は、基板３０と、光源部４０と、拡散部５１とを具備する。光源部４０は、基板３０に実装され、白色光源４１が配列した白色光源列Ｌｗと、複数の白色光源列Ｌｗの間に原色光源４２が配列した原色光源列Ｌｃとを有する。拡散部５１ｗ、５１ｃは、白色光源４１から出射される白色光を原色光源４２から出射される原色光よりも拡散する。
【０００９】
以下で説明する実施形態に係る光源部４０は、色温度の異なる複数の白色光源４１ａ、４１ｂを有する。
【００１０】
以下で説明する実施形態に係る拡散部５１ｗ、５１ｃは、白色光源列Ｌｗを覆う領域と原色光源列Ｌｃを覆う領域とで異なる形状である。
【００１１】
以下で説明する実施形態に係る拡散部５１ｃは、原色光源列Ｌｃを覆う領域において原色光源列Ｌｃに沿う向きに略平行な平坦部を有する。
【００１２】
（実施形態）
まず、図１を用いて実施形態に係る照明装置１の概要について説明する。図１は、実施形態に係る照明装置１の分解斜視図である。なお、以下では、照明装置１が、住宅の天井等に設置される引掛けシーリングに直接取り付けられるいわゆるシーリングライトである場合について説明するが、シーリングライトに限られず、その他の照明装置についても適用可能である。
【００１３】
図１に示すように、実施形態に係る照明装置１は、電源部１０と、器具本体２０と、基板３０と、カバー５０と、セード６０とを具備する。電源部１０は、制御装置１１と、取付部１２とを具備する。
【００１４】
制御装置１１は、照明装置１を制御する。例えば、制御装置１１は、図示しないリモコンから受信した指示信号に応じて光源部４０の調光を制御する。なお、制御装置１１の具体例については図４を用いて後述する。取付部１２は、略円筒状に形成されたアダプタガイドであり、アダプタガイドの中央部を図示しない引掛けシーリングのアダプタが挿通する。
【００１５】
器具本体２０は、冷間圧延鋼板等の金属材料の平板から円形状に形成された熱伝導性を有するシャーシであり、略中央部に取付部１２が配置される円形状の貫通孔２１が形成されている。
【００１６】
基板３０は、ＳＭＤ（Surface  Mount  Device）形で構成され、光源部４０が実装面３１に実装される。ただし、基板３０は、ＳＭＤ形に限られず、ＣＯＢ（Chip  on  Board）形であってもよい。なお、図１においては、基板３０が、所定の幅寸法を有した略円弧状の４枚の基板が繋ぎ合わされるように配設されて全体として略サークル状に形成されている。つまり、全体として略サークル状に形成された基板３０は、４枚の分割された基板から構成されている。
【００１７】
光源部４０は、基板３０の実装面３１に実装され、白色光源４１が配列した複数の白色光源列Ｌｗと、複数の白色光源列Ｌｗの間に原色光源４２が配列した原色光源列Ｌｃとを有する（図２参照）。同図に示す例では、基板３０の周方向に２列の白色光源列Ｌｗが配列し、２列の白色光源列Ｌｗの間に１列の原色光源列Ｌｃが配置される場合を示している。
【００１８】
しかしながら、白色光源列Ｌｗおよび原色光源列Ｌｃの配列は、これに限定されず、白色光源列Ｌｗが３列以上であってもよい。かかる場合に、全ての白色光源列Ｌｗ間に原色光源列Ｌｃを配列することにしてもよいし、あるいは、原色光源列Ｌｃを間引いて配列することにしてもよい。
【００１９】
すなわち、少なくとも１列の原色光源列Ｌｃが白色光源列Ｌｗ間に配置されていれば、その態様は問わない。また、図１に示す例では、白色光源列Ｌｗおよび原色光源列Ｌｃが略サークル状に配列する場合について示したが、これに限定されるものではなく、直線状などその他の配列を含むことにしてもよい。なお、光源部４０の詳細については、図２を用いて後述する。
【００２０】
カバー５０は、光透過性および導光性を有するものであり、透明な樹脂製で環状に形成されている。また、カバー５０は、基板３０に同心円上に配列された白色光源列Ｌｗおよび原色光源列Ｌｃにそれぞれ対向するように環状の２列の拡散部５１ｗおよび１列の拡散部５１ｃが同心円状に３列形成されている。図１に示すように、拡散部５１は、カバー５０の背面側に開口して白色光源列Ｌｗおよび原色光源列Ｌｃを収容する凹部を有し、カバー５０の前面側に突出する断面略山型に形成されており、環状方向である周方向に同じ断面形状に形成されている。
【００２１】
セード６０は、透光性を有する樹脂製で、上面側が開口され、上面側の内周縁部に各セード取付金具に取り付けられる図示しない取付段部が形成されている。セード６０の下面部は、なだらかに湾曲突出するようにドーム状に形成されている。そして、器具本体２０に取り付けられるセード６０により、器具本体２０の下面、基板３０および光源部４０などが覆われる。
【００２２】
ここで、従来の照明装置について説明する。従来の照明装置では、白色光源から出射される白色光と、原色光源から出射される原色光とが均一に混合するように拡散することで、光を均一化して出射していた。つまり、従来の照明装置では、白色光と原色光とが均一に混ざり合った状態で出射されていた。
【００２３】
一方、照明装置には、生活シーンに合わせて癒し効果などの機能が求められる。特に、青空や夕焼けなどの空色は、ユーザに開放感を与えるとともに、癒し効果も高い。しかしながら、従来の照明装置では、空色を再現することが困難であった。
【００２４】
そこで、実施形態に係る照明装置１は、空色のコントラストを照明で再現し、生活シーンに合わせて適切な照明空間を提供することとした。具体的には、実施形態に係る照明装置１は、白色光源４１から出射される白色光を原色光源４２から出射される原色光よりも拡散する。
【００２５】
つまり、実施形態に係る照明装置１は、白色光を均一に拡散しつつ、原色光については拡散せずにそのまま出射する。これにより、実施形態に係る照明装置１において、白色光と原色光との色温度の差による空色のコントラストを再現することが可能となる。
【００２６】
なお、実施形態に係る照明装置１は、色温度が異なる複数の白色光源４１を有するが、かかる点については後述する。
【００２７】
また、実施形態に係る拡散部５１は、白色光源列Ｌｗを覆う領域と原色光源列Ｌｃを覆う領域とで異なる形状であるが、かかる点の詳細については後述する。
【００２８】
また、実施形態に係る拡散部５１は、原色光源列Ｌｃを覆う領域において原色光源列Ｌｃに沿う向きに略平行な平坦部を有するが、かかる点の詳細については後述する。
【００２９】
次に、図２を用いて光源部４０の具体例について説明する。図２は、光源部４０の具体例を示す図である。図２に示すように、実施形態に係る照明装置１は、各白色光源列Ｌｗに色温度が異なる白色光源４１ａ，４１ｂが交互に配列される。例えば、白色光源４１ａが電球色の光を出射し、白色光源４１ｂが昼白色の光を出射する。なお、上記の例に限られず、白色光源４１は、温白色、白色、昼光色等の光を出射するものであってもよい。また、上記の例では、白色光源４１が２種類である場合について説明したが、１種類や３種類以上であってもよい。
【００３０】
また、原色光源列Ｌｃには、発光色が異なる複数の原色光源４２ｒ，４２ｇ，４２ｂが相互に配列される。具体的には、原色光源４２ｒは、赤色の光を出射し、原色光源４２ｇは、緑色の光を出射する。そして、原色光源４２ｂは、青色の光を出射する。ただし、原色光源列Ｌｃは、１または２種類や４種類以上の原色光源４２を有することにしてもよい。なお、白色光源４１および原色光源４２は、それぞれＬＥＤ（Light  Emitting  Diode）等の発光素子で構成される。
【００３１】
ここで、照明装置１は、白色光源４１ａ、４１ｂ、原色光源４２ｒ，４２ｇ，４２ｂの調光をそれぞれ独立に制御することが可能である。これにより、光源部４０については、発光色ごとの調光比を調整して発光色ごとの光出力を可変にすることが可能である。
【００３２】
上記のように、白色光源列Ｌｗは、色温度が異なる複数の白色光源４１ａ，４１ｂを有する。このため、照明装置１は、白色光源４１ａ，４１ｂの調光比をそれぞれ制御することで、様々な色温度の光を出力することが可能となる。
【００３３】
具体的には、例えば、白色光源４１ａの色温度は、約２０００Ｋであり、白色光源４１ｂの色温度は、約６５００Ｋである。このため、白色光源４１ａおよび白色光源４１ｂの調光比を調整することで、２０００Ｋ〜６５００Ｋの色温度を表現することが可能となる。
【００３４】
このように、実施形態に係る照明装置１では、電球色の白色光源４１ａおよび昼白色の白色光源４１ｂを有することで、温白色、白色等の色温度を表現することが可能である。言い換えれば、実施形態に係る照明装置１は、色温度が異なる複数の白色光源４１を有することで、幅広い色温度の照明空間を提供することが可能となる。
【００３５】
次に、図３を用いて実施形態に係る拡散部５１の具体例について説明する。図３は、実施形態に係る拡散部５１の具体例を示す図である。なお、図３は、照明装置１の部分的な断面図を示す。
【００３６】
図３に示すように、拡散部５１は、白色光源列Ｌｗを覆う拡散部５１ｗと、原色光源列Ｌｃを覆う拡散部５１ｃを有する。つまり、拡散部５１は、各白色光源列Ｌｗと、原色光源列Ｌｃとの配光をそれぞれ独立に制御する。また、図３に示すように、拡散部５１ｗと、拡散部５１ｃとは、異なる形状である。
【００３７】
具体的には、拡散部５１ｗは、中央が窪んだ凹状の形状である。白色光源４１から出射される白色光は、拡散部５１ｗによって均一に拡散される。また、拡散部５１ｃは、厚みが略均一であり、原色光源列Ｌｃに沿う向きに略平行な平坦部を有する形状である。かかる平坦部を通過する光は、拡散されずに略そのままの配光で出射される。
【００３８】
つまり、実施形態に係る照明装置１は、拡散部５１ｃに平坦部を設けることで原色光に対する配光制御を敢えて抑えることとしている。そして、白色光および原色光は、拡散部５１ｃおよび拡散部５１ｗをそれぞれ通過した後に、セード６０（図１参照）に投影される。
【００３９】
このように、実施形態に係る照明装置１では、白色光を均一に拡散しつつ、原色光の拡散を抑えることで、セード６０表面には、白色光が均一に投影され、原色光が部分的（原色光源４２直下）に投影されることとなる。つまり、セード６０表面には、色温度の異なる複数の光が投影されることとなる。
【００４０】
これにより、実施形態に係る照明装置１は、かかる色温度の差がグラデーションとなって照明で空色を再現することが可能となる。換言すれば、実施形態に係る照明装置１は、原色光に対して敢えて色ムラを出すことで、空色のコントラストを表現することが可能となる。
【００４１】
なお、例えば、拡散部５１ｗの白色光源４１側の表面に、ドット状の散乱体、いわゆるシボパターンを形成することにしてもよい。これにより、白色光のみをより効果的に拡散することが可能となる。また、原色光源４２については、拡散部５１ｃに代えて、配光を狭くする部材を用いることにしてもよい。これにより、原色光による局所的なコントラストを表現することが可能となる。
【００４２】
なお、図３に示した拡散部５１は、一例であって、これに限定されるものではない。すなわち、拡散部５１ｗおよび拡散部５１ｃの形状は任意に変更することが可能であり、また、拡散部５１ｃを省略することも可能である。
【００４３】
次に、図４を用いて実施形態に係る制御装置１１について説明する。図４は、制御装置１１の構成を示すブロック図である。なお、図４には、実施形態に係る制御装置１１の構成のうち、必要な構成のみを図示し、他の構成については図示を省略する。
【００４４】
図４に示すように、制御装置１１は、受信部１１０と、制御部１１１と、記憶部１１４とを具備する。受信部１１０は、図示しないリモコンから光源部４０の点灯モードを指示する指示信号を受信する。受信部１１０によって受信された指示信号は、制御部１１１へ出力される。なお、受信部１１０は、例えば、壁に設置されたスイッチから信号配線を介して上記の指示信号を受信することにしてもよい。
【００４５】
制御部１１１は、各種の処理手順などを規定したプログラム及び所要データを格納するための内部メモリを有し、これらによって種々の処理を実行するが、特に本発明に密接に関連するものとしては、設定部１１２および調光制御部１１３を有する。
【００４６】
設定部１１２は、受信部１１０から入力される指示信号に応じた点灯モードを記憶部１１４のモード情報１１５から読み出し、調光制御部１１３へ出力する。調光制御部１１３は、スイッチング回路や、ＰＭＷ（Pulse  Width  Modulation）制御回路等を含み、かかる点灯モードに基づいて光源部４０を制御する。これにより、モード情報１１５に従った調光比で白色光源４１および原色光源４２を点灯させることが可能となる。
【００４７】
記憶部１１４は、例えば、ＲＡＭ（Random  Access  Memory）、フラッシュメモリ（Flash  Memory）等の半導体メモリ素子、または、ハードディスク、光ディスク等の記憶装置によって実現される。図４に示すように、記憶部１１４は、モード情報１１５を記憶する。
【００４８】
ここで、図５を用いてモード情報１１５の具体例について説明する。図５は、モード情報１１５の具体例を示す図である。図５に示すように、モード情報１１５は、「点灯モード」と、各点灯モードにおける白色光源４１ａ、４１ｂ、原色光源４２ｒ、４２ｇ、４２ｂの調光比とがそれぞれ対応付けられた情報である。
【００４９】
「点灯モード」は、光源部４０の動作モードであり、図５に示す例では、点灯モードが「通常モード」、「夕焼けモード」、「青空モード」等を含む場合を示している。通常モードは、白色光源４１のみが点灯する、一般的な照明として機能するモードである。このように、実施形態に係る照明装置１は、原色光源４２を点灯させず、白色光源４１のみを点灯させることで、一般的な照明としても機能する。なお、上記のように「通常モード」においては、電球色と昼白色の調光比を変更することで、様々な色温度の照明空間を提供することも可能である。
【００５０】
また、「夕焼けモード」は、夕焼け空を再現したモードであり、「夕焼けモード」においては、電球色とブルーの調光比が１対１で白色光源４１ａと、原色光源４２ｂとが点灯する。「青空モード」は、青空を再現したモードであり、「青空モード」においては、昼白色とブルーの調光比が１対１で白色光源４１ｂと原色光源４２ｂとが点灯する。
【００５１】
ここで、実施形態に係る照明装置１は、色温度が異なる白色光源４１を点灯させることで、夕焼け空や青空を再現している。つまり、実施形態に係る照明装置１は、色温度の異なる複複数の白色光源４１（４１ａ、４１ｂ）を有することで、バリエーション豊かな空色を再現することが可能となる。なお、図５に示すモード情報１１５は、一例であり、これに限定されるものではない。すなわち、調光比を適宜変更することが可能である。また、かかる調光比は、例えば、リモコンによってユーザが設定することもできる。
【００５２】
なお、照明装置１は、実際の時刻や天候によって点灯モードを自動的に変更することも可能である。これにより、ユーザは、屋内に居ながら、現在時刻の実際の空の様子を知ることが可能となる。
【００５３】
上述したように、実施形態に係る照明装置１は、基板３０と、光源部４０と、拡散部５１とを具備する。光源部４０は、基板３０に実装され、白色光源４１が配列した複数の白色光源列Ｌｗと、複数の白色光源列Ｌｗの間に原色光源４２が配列した原色光源列Ｌｃとを有する。拡散部５１は、白色光源４１から出射される白色光を原色光源４２から出射される原色光よりも拡散する。これにより、実施形態に係る照明装置１は、色温度のコントラストによって空色を再現することができるので、生活シーンに合わせて適切な照明空間を提供することが可能となる。
【００５４】
また、実施形態に係る照明装置１では、原色光源４２から出射された原色光が配光制御されずに、そのまま出射される。これにより、実施形態に係る照明装置１では、従来技術において現在の点灯モードをユーザに把握させる術がなかったのに対して、ユーザが点灯モードを原色光によって容易に把握することができる。
【００５５】
なお、上述した実施形態では、照明装置１が、空色を再現する場合について説明したが、これに限定されるものではない。すなわち、照明装置１は、海や紅葉などを再現するようにしてもよい。
【００５６】
また、上述した実施形態では、原色光源列Ｌｃが、拡散部５１ｗよりも拡散効率の低い拡散部５１ｃに覆われている場合について説明したが、これに限定されるのもではない。すなわち、照明装置１が、複数の原色光源列Ｌｃを有する場合、少なくとも１列の原色光源列Ｌｃを残して、残余の原色光源列Ｌｃを拡散部５１ｗで覆うようにしてもよい。これにより、残余の原色光源列Ｌｃおよび白色光源列Ｌｗから出射された原色光と白色光とを均一に拡散しつつ、拡散部５１ｗによって覆われた原色光源列Ｌｃから出射される原色光により色温度差を出すことが可能となる。つまり、かかる場合に、照明のバリエーションをさらに増やすことが可能となる。
【００５７】
また、上述の実施形態では、白色光源４１ａ、４１ｂ、原色光源４２ｒ，４２ｇ，４２ｂ毎に調光を制御する場合について説明したが、これに限定されるものではない。すなわち、ＬＥＤチップ毎に、調光を制御することにしてもよい。これにより、照明のバリエーションをさらに増やすことが可能となる。
【００５８】
また、上述した実施形態では、照明装置１について説明したが、本発明をテレビやプロジェクター等に適用することにしてもよい。
【００５９】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００６０】
１    照明装置
１０    電源部
２０    器具本体
３０    基板
４０    光源部
４１，４１ａ，４１ｂ    白色光源
４２，４２ｒ，４２ｇ，４２ｂ    原色光源
５０    カバー
５１，５１ｃ，５１ｗ    拡散部
６０    セード
Ｌｗ    白色光源列
Ｌｃ    原色光源列
【図１】
2019061808.tif 000003
【図２】
2019061808.tif 000004
【図３】
2019061808.tif 000005
【図４】
2019061808.tif 000006
【図５】
2019061808.tif 000007